(57)【要約】【課題】  体の不自由な人の入浴を介護する際に、邪魔なエプロンの一部を取り外し可能にし入浴介護を容易にする事を可能にする、介護に適したエプロンの一部を取り外し可能にし底部を腰の高さにした浴槽を提供する。【解決手段】  エプロンの一部（２）をエプロンの一部の無い浴槽本体（１）に蝶番（３）で取り付け、開閉可能にする。エプロンの一部（２）を開いた状態で被介護者を浴槽に座らせる、この際浴槽の底部は腰の高さに底上げしてあるため底部に腰掛けるだけで良い、次に足を上げて浴槽へ入れる。エプロンの一部（２）を閉じ、浴槽へ湯を満たす。入浴を終えたら、湯を抜きエプロンの一部（２）を開き被介護者の足を地面へ下ろし座った状態にしてから被介護者を浴槽から出す。この様にして用意に被介護者の入浴を介護出来る。介護に適したエプロンの一部を取り外し可能にし底部を腰の高さにした浴槽を特徴とする。【選択図】  図７
2007007368.tif 000002
【特許請求の範囲】
【請求項１】
浴槽のエプロンの一部に穴をあけ、エプロンの欠けた場所から人が体全体を通して浴槽内へ入る事を可能にする、実際には浴槽のエプロンの一部を取り外し、エプロンの一部の無い浴槽（１）とエプロンの一部（２）に分ける、エプロンの一部（２）はエプロンの一部の無い浴槽（１）へ取り付け可能にする。またエプロンの一部（２）の一部がエプロンの一部の無い浴槽（１）へ固定されてドアの様になっても良い。重要な事は、エプロンのかけた部分から人が体の一部だけでなく、体全体を通す事が出来る事を可能にすること、エプロンの一部（２）をエプロンの一部の無い浴槽（１）へ取り付けた時に浴槽からお湯が漏れない事である。以上の事を可能にする、介護に適したエプロンの一部を取り外し可能にし底部を腰の高さにした浴槽。
【請求項２】
上記浴槽を底上げ（５）の上に乗せることにより、エプロンの一部の無い浴槽（１）の底部の高さを上げる、底部の高さを上げる事により、入浴者はエプロンの一部（２）が外れた状態で、エプロンの欠けた部分から浴槽の底部に腰かけ、それから足を上げて浴槽内へ足を入れ、体全体を浴槽内へ入れる事が出来る、事を可能にする。〔請求項１〕の介護に適したエプロンの一部を取り外し可能にし底部を腰の高さにした浴槽。
【発明の詳細な説明】
【発明の詳細な説明】
【技術分野】
【０００１】  この発明は、浴槽のエプロンの一部を取り外し可能にし、浴槽の底部の高さを高くする事により、体の不自由な方の入浴が容易に、入浴の介護者をされる方の負担の軽減を可能にする、介護に適したエプロンの一部を取り外し可能にし底部を腰の高さにした浴槽に関するものである。
【背景技術】
【０００２】  従来の浴槽はエプロンが全て固定されており、浴槽に入るにはエプロンを跨ぐなどして、エプロンを越えて浴槽に入らなければならなかった。そのため立つ事や、歩く事の困難な人が入浴するのは困難であり、入浴を介助する際は、介護者は被介護者を持ち上げて浴槽へ出し入れせねばならず、非常な労力を要した。またエプロンの一部にドアを設けた浴槽はあったが、そのドアはエプロンを跨ぐことを回避するために、ドアから足を通すことが目的に作られた物であり、ドアから体全体を通すことを目的とする物では無かった、そのため、立つことや歩く事が困難でドアから足を通すことが困難な人にとっては、入浴が困難であり、立つ事の不自由な人の入浴を介護する人にとっても足を通すだけのドアではまだ、浴槽へ被介護者入れる際にエプロンが邪魔になり依然困難であった。そして浴槽の底部が低い位置にあるために、入浴する際には人は立った状態からしゃがみ込んで浴槽へ入らなければならなかった。これはしゃがみ込んだ状態から立ち上がる事、立った状態からしゃがみ込む事の不自由な人にとっては、非常な困難を要した。介護者にとっても低い位置へ被介護者を下ろす、低い位置から被介護者を持ち上げねばならず、非常な労力を要するものであった。
【発明が解決しようとする課題】
【０００３】  これは次のような欠点があった。
浴槽のエプロンが全て固定されているために、入浴する際に人は立ってエプロンを跨いで浴槽に入る必要があった、そのため、立つ事や歩く事が困難な人にとっては入浴が困難であった。被介護者の入浴を介護する介護者は被介護者の体を持ち上げて、エプロンを越えて浴槽内へ入れねばならず、これは非常な労力を要するものであった。
エプロンに足を通す事を目的としたドアを設けた浴槽はあったが、体全体を通す事が目的の物では無いため、立つ事や歩く事が困難でドアから足を通すことが困難な人にとっては依然として入浴に困難を要した。
本発明は、以上のような欠点を無くすためになされたものである。
【課題を解決するための手段】
【０００４】  エプロンの一部が欠けた浴槽本体（１）にエプロンの一部（２）を蝶番（３）で取り付ける、エプロンの一部が無い浴槽本体（１）とエプロンの一部（２）に漏れ止め（４）を設ける。エプロンの一部が無い浴槽本体に軸（６）、ハンドル（７）、止め具（８）を設ける。エプロンの一部のハンドルが動く位置に窪み（１０）を設ける。浴槽の下へ底上げ（５）を設ける。
本発明は、以上の構成よりなる、介護に適したエプロンの一部を取り外し可能にし底部を腰の高さにした浴槽
【発明を実施するための最良の形態】
【０００５】  以下、本発明の実施の形態について説明する。
エプロンの一部が無い浴槽本体（１）にエプロンの一部（２）を蝶番（３）で取り付ける、またエプロンの一部がない浴槽本体（１）とエプロンの一部（２）にＵ字型の漏れ止め（４）を設ける。エプロンの一部（２）に、軸（６）を設ける、軸（６）にハンドル（７）と止め具（８）を設ける。エプロンの一部が無い浴槽本体（１）に受け壷（９）を設ける。エプロンの一部のハンドルが動く位置に窪み（１０）を設ける。【０００６】  上記Ｕ字型の漏れ止め（４）はゴム、又はプラスチックで出来ている事が望ましい。【０００８】蝶番を強固にするため、自動車のドアの蝶番を使用する方法もある。【０００９】蝶番の付ける位置はエプロンの一部（２）の下部に限らずエプロンの一部（２）の左右のどちらかに付けてエプロンの一部の無い浴槽本体（１）へ取り付ける事が出来る、この場合軸（６）、ハンドル（７）、止め具（８）は蝶番（３）の無い側に取り付ける。【００１０】エプロンの一部（２）をエプロンの一部の無い浴槽（１）へ取り付ける方法は蝶番（３）と止め具（８）を使って固定するだけでなく、どの様な方法を使っても良い。重要な点は浴槽（１）のエプロンの一部が欠けてその欠けた部分から人が体全体を入れる事が出来、その後エプロンの一部（２）を取り付ける事により、水が漏れる事が防げる事である。【００１０】浴槽の下部へ底上げ（５）を設け、浴槽の底部の高さを高くする。【００１１】  本発明は、以上のような構造でこれを使用するときは、
エプロンの一部（２）を開いた状態で被介護者を浴槽の底部へ座らせる、続いて被介護者の足を持ち上げ浴槽へ入れる、この様にして被介護者の体を完全に浴槽へ入れた状態で、エプロンの一部（２）を閉じ、ハンドルを回す事により、止め具（８）が受け窪（９）にはまり、エプロンの一部（２）がエプロンの一部が無い浴槽本体（１）に完全に固定される。この状態で浴槽に湯を満たす。これにより被介護者は浴槽で湯に浸かる事が出来る。入浴を終えたら浴槽から湯を抜く、そしてハンドルを回し、止め具（８）を受け窪（９）から外し、エプロンの一部を開く、被介護者の足を浴槽から地面へ下ろし、被介護者はその状態から立つことも、車椅子に座りなおす事も出来る。
以上の様に入浴することで、少しの援助で被介護者の入浴を行なう事を可能にする。
【発明の効果】
【０００６】  以前の浴槽ではエプロンが邪魔になり、体の不自由な人の入浴を介護する際、被介護者の体を持ち上げて浴槽へ入れたり、機械を使い体を吊り下げて浴槽への出し入れを行なわなければならなかった、また足を通すことを目的としたドアを取り付けた浴槽はあったが、歩く事が困難な人、立ち座りの困難な人にとっては依然入浴が困難であった。本発明を使う事により、浴槽の底部に椅子の様に座ることで浴槽へ入ることが出来る、座った状態から立ち座りが出来る人であれば、エプロンを閉めてもらうだけで殆ど介護を必要とせず、立ち座りが不自由な人であっても、被介護者に底部に腰掛けるまで、例えば車椅子等から浴槽へ座り直すのを介護者が補助するだけでよく、被介護者の入浴を非常に簡単に行なう事を可能にする。
【図面の簡単な説明】
【図１】  本発明の正面図である
【図２】  本発明のエプロンの一部の正面図である。
【図３】  本発明の浴槽本体の図である
【図４】  本発明のエプロンの一部と浴槽本体の接合面を上から見た図である。
【図５】  本発明のエプロンの一部のハンドルが横になった状態の正面図である。
【図６】  本発明のエプロンの一部のハンドルが縦になった状態の正面図である。
【図７】  本発明のエプロンの一部を開いた状態の正面図である。
【符号の説明】
１    浴槽本体
２    エプロンの一部
３    蝶番
４    漏れ止め
５    底上げ
６    軸
７    ハンドル
８    止め具
９    受け壷
１０  ハンドルを動かす部分の窪み
【図１】
2007007368.tif 000003
【図２】
2007007368.tif 000004
【図３】
2007007368.tif 000005
【図４】
2007007368.tif 000006
【図５】
2007007368.tif 000007
【図６】
2007007368.tif 000008
【図７】
2007007368.tif 000009